【手続補正書】
【提出日】平成17年11月2日(2005.11.2)
【手続補正１】
【補正対象書類名】明細書
【補正対象項目名】発明の名称
【補正方法】変更
【補正の内容】
【発明の名称】移動情報端末装置及び移動情報通信方法、カメラサーバ装置及び方法
【手続補正２】
【補正対象書類名】明細書
【補正対象項目名】特許請求の範囲
【補正方法】変更
【補正の内容】
【特許請求の範囲】
【請求項１】  現在位置を検出する位置検出手段と、
経路情報を設定管理する経路情報設定管理手段と、
前記経路情報と現在位置情報とに応じて複数のカメラから一つのカメラを選択するカメラ選択手段と、
前記カメラ選択手段により選択されたカメラによる画像を表示する画像表示手段と、
前記カメラ画像を通信するための通信制御手段と
を有することを特徴とする移動情報端末装置。
【請求項２】 前記カメラ選択手段は、進行方向を考慮する機能を有することを特徴とする請求項１に記載の移動情報端末装置。
【請求項３】 前記カメラ選択手段により選択されたカメラを制御するためのカメラ制御インタフェース手段を有することを特徴とする請求項２に記載の移動情報端末装置。
【請求項４】 前記カメラ制御インタフェース手段は、進行方向に応じて異なるプリセット制御を行うことを特徴とする請求項３に記載の移動情報端末装置。
【請求項５】 前記経路情報と現在位置情報とに応じて、前記カメラの制御権を予約する制御権予約手段を有することを特徴とする請求項４に記載の移動情報端末装置。
【請求項６】 前記制御権予約手段は、複数の予約方法を用いて予約することが可能であることを特徴とする請求項５に記載の移動情報端末装置。
【請求項７】 前記制御権予約手段には、プリセット予約及び自由制御予約が含まれることを特徴とする請求項６に記載の移動情報端末装置。
【請求項８】 前記カメラ選択手段は、カメラサーバ装置により指定された地点に到達した場合にカメラの選択が行われることを特徴とする請求項１乃至７のいずれかに記載の移動情報端末装置。
【請求項９】 所定の位置に到達した場合に、前記カメラの制御権獲得要求を行うことを特徴とする請求項２乃至８のいずれかに記載の移動情報端末装置。
【請求項１０】 画像を取り込む撮像手段と、
前記撮像手段により取り込まれた画像を送信する送信手段と、
前記画像を移動情報端末に送信したり該移動情報端末からの各種要求を処理するための通信制御手段と、
カメラサーバ情報を管理するカメラサーバ情報管理手段と
を有することを特徴とするカメラサーバ装置。
【請求項１１】 前記カメラサーバ情報管理手段は、カメラ画像表示開始・終了場所を示す情報を管理することを特徴とする請求項１０に記載のカメラサーバ装置。
【請求項１２】 前記撮像手段の撮影方向を制御するカメラ制御手段を有することを特徴とする請求項１０または１１に記載のカメラサーバ装置。
【請求項１３】 前記カメラサーバ情報管理手段は、進行方向・経路・現在位置等に応じたお勧めカメラプリセット番号を管理することを特徴とする請求項１２に記載のカメラサーバ装置。
【請求項１４】 カメラ制御権を管理するためのカメラ制御権管理手段を設けることにより、カメラ制御権の予約を可能にしたことを特徴とする請求項１２または１３に記載のカメラサーバ装置。
【請求項１５】 前記カメラ制御権の予約には、プリセット予約と自由制御予約とを含むことを特徴とする請求項１４に記載のカメラサーバ装置。
【請求項１６】 同時刻の同一のプリセット予約であった場合には、同じ予約であると見なすことを特徴とする請求項１５に記載のカメラサーバ装置。
【請求項１７】 時間の近い同一のプリセット予約であった場合には、同じ予約であると見なすことを特徴とする請求項１５に記載のカメラサーバ装置。
【請求項１８】 前記カメラ制御権が獲得できなかった場合に、直前の蓄積映像を送ることを特徴とする請求項１４乃至１７のいずれかに記載のカメラサーバ装置。
【請求項１９】 前記カメラ制御権が獲得できなかった場合に、プリセット制御であれば、プリセットに対応する直前の蓄積画像を送ることを特徴とする請求項１８に記載のカメラサーバ装置。
【請求項２０】 前記カメラ制御は、パン・チルト・ズームであることを特徴とする請求項１４乃至１９のいずれかに記載のカメラサーバ装置。
【請求項２１】 現在位置を検出する位置検出工程と、
経路情報を設定管理する経路情報設定管理工程と、
前記経路情報と現在位置情報とに応じて複数のカメラから一つのカメラを選択するカメラ選択工程と、
前記カメラ選択工程により選択されたカメラによる画像を表示する画像表示工程と、
前記カメラ画像を通信するための通信制御工程と
を有することを特徴とする移動情報通信方法。
【請求項２２】 画像を取り込む撮像工程と、
前記撮像工程により取り込まれた画像を送信する送信工程と、
前記画像を移動情報端末に送信したり該移動情報端末からの各種要求を処理するための通信制御工程と、
カメラサーバ情報を管理するカメラサーバ情報管理工程と
を有することを特徴とするカメラサーバ方法。
【手続補正３】
【補正対象書類名】明細書
【補正対象項目名】０００１
【補正方法】変更
【補正の内容】
【０００１】
【発明の属する技術分野】
本発明は、カメラからの画像（映像）を表示するカーナビゲーションシステム等の移動情報端末装置及び移動情報通信方法、カメラサーバ装置及び方法に関する。
【手続補正４】
【補正対象書類名】明細書
【補正対象項目名】０００９
【補正方法】変更
【補正の内容】
【０００９】
本発明は、上述したような従来技術の有する問題点を解消するためになされたもので、その目的は、遠隔地に設置された制御可能なカメラからのリアルタイム画像を有効に切り替えて表示し、カメラ制御できるようにした移動情報端末装置及び移動情報通信方法、カメラサーバ装置及び方法を提供することである。
【手続補正５】
【補正対象書類名】明細書
【補正対象項目名】００１０
【補正方法】変更
【補正の内容】
【００１０】
【課題を解決するための手段】
上記目的を達成するため、本発明の移動情報端末装置は、現在位置を検出する位置検出手段と、経路情報を設定管理する経路情報設定管理手段と、前記経路情報と現在位置情報とに応じて複数のカメラから一つのカメラを選択するカメラ選択手段と、前記カメラ選択手段により選択されたカメラによる画像を表示する画像表示手段と、前記カメラ画像を通信するための通信制御手段とを有することを特徴とする。
本発明のカメラサーバ装置は、画像を取り込む撮像手段と、前記撮像手段により取り込まれた画像を送信する送信手段と、前記画像を移動情報端末に送信したり該移動情報端末からの各種要求を処理するための通信制御手段と、カメラサーバ情報を管理するカメラサーバ情報管理手段とを有することを特徴とする。
本発明の移動情報通信方法は、現在位置を検出する位置検出工程と、経路情報を設定管理する経路情報設定管理工程と、前記経路情報と現在位置情報とに応じて複数のカメラから一つのカメラを選択するカメラ選択工程と、前記カメラ選択工程により選択されたカメラによる画像を表示する画像表示工程と、前記カメラ画像を通信するための通信制御工程とを有することを特徴とする。
本発明のカメラサーバ方法は、画像を取り込む撮像工程と、前記撮像工程により取り込まれた画像を送信する送信工程と、前記画像を移動情報端末に送信したり該移動情報端末からの各種要求を処理するための通信制御工程と、カメラサーバ情報を管理するカメラサーバ情報管理工程とを有することを特徴とする。
【手続補正６】
【補正対象書類名】明細書
【補正対象項目名】０１０４
【補正方法】削除
【補正の内容】
【手続補正７】
【補正対象書類名】明細書
【補正対象項目名】０１０５
【補正方法】削除
【補正の内容】
【手続補正８】
【補正対象書類名】明細書
【補正対象項目名】０１０６
【補正方法】削除
【補正の内容】
【手続補正９】
【補正対象書類名】明細書
【補正対象項目名】０１０７
【補正方法】削除
【補正の内容】
【手続補正１０】
【補正対象書類名】明細書
【補正対象項目名】０１０８
【補正方法】削除
【補正の内容】
【手続補正１１】
【補正対象書類名】明細書
【補正対象項目名】０１０９
【補正方法】削除
【補正の内容】
【手続補正１２】
【補正対象書類名】明細書
【補正対象項目名】０１１０
【補正方法】削除
【補正の内容】
【手続補正１３】
【補正対象書類名】明細書
【補正対象項目名】０１１１
【補正方法】削除
【補正の内容】
【手続補正１４】
【補正対象書類名】明細書
【補正対象項目名】０１１２
【補正方法】削除
【補正の内容】
【手続補正１５】
【補正対象書類名】明細書
【補正対象項目名】０１１３
【補正方法】削除
【補正の内容】
【手続補正１６】
【補正対象書類名】明細書
【補正対象項目名】０１１４
【補正方法】削除
【補正の内容】
【手続補正１７】
【補正対象書類名】明細書
【補正対象項目名】０１１５
【補正方法】削除
【補正の内容】
【手続補正１８】
【補正対象書類名】明細書
【補正対象項目名】０１１６
【補正方法】削除
【補正の内容】
【手続補正１９】
【補正対象書類名】明細書
【補正対象項目名】０１１７
【補正方法】削除
【補正の内容】
【手続補正２０】
【補正対象書類名】明細書
【補正対象項目名】０１１８
【補正方法】削除
【補正の内容】
【手続補正２１】
【補正対象書類名】明細書
【補正対象項目名】０１１９
【補正方法】削除
【補正の内容】
【手続補正２２】
【補正対象書類名】明細書
【補正対象項目名】０１２０
【補正方法】削除
【補正の内容】
【手続補正２３】
【補正対象書類名】明細書
【補正対象項目名】０１２１
【補正方法】削除
【補正の内容】
【手続補正２４】
【補正対象書類名】明細書
【補正対象項目名】０１２２
【補正方法】削除
【補正の内容】
【手続補正２５】
【補正対象書類名】明細書
【補正対象項目名】０１２３
【補正方法】削除
【補正の内容】
【手続補正２６】
【補正対象書類名】明細書
【補正対象項目名】０１２４
【補正方法】削除
【補正の内容】
【手続補正２７】
【補正対象書類名】明細書
【補正対象項目名】０１２５
【補正方法】削除
【補正の内容】
【手続補正２８】
【補正対象書類名】明細書
【補正対象項目名】０１２６
【補正方法】削除
【補正の内容】
【手続補正２９】
【補正対象書類名】明細書
【補正対象項目名】０１２７
【補正方法】削除
【補正の内容】
【手続補正３０】
【補正対象書類名】明細書
【補正対象項目名】０１２８
【補正方法】削除
【補正の内容】
【手続補正３１】
【補正対象書類名】明細書
【補正対象項目名】０１２９
【補正方法】削除
【補正の内容】
【手続補正３２】
【補正対象書類名】明細書
【補正対象項目名】０１３０
【補正方法】削除
【補正の内容】
【手続補正３３】
【補正対象書類名】明細書
【補正対象項目名】０１３１
【補正方法】削除
【補正の内容】
【手続補正３４】
【補正対象書類名】明細書
【補正対象項目名】０１３２
【補正方法】削除
【補正の内容】
【手続補正３５】
【補正対象書類名】明細書
【補正対象項目名】０１３３
【補正方法】削除
【補正の内容】
【手続補正３６】
【補正対象書類名】明細書
【補正対象項目名】０１３４
【補正方法】削除
【補正の内容】
【手続補正３７】
【補正対象書類名】明細書
【補正対象項目名】０１３５
【補正方法】削除
【補正の内容】
【手続補正３８】
【補正対象書類名】明細書
【補正対象項目名】０１３６
【補正方法】削除
【補正の内容】
【手続補正３９】
【補正対象書類名】明細書
【補正対象項目名】０１３７
【補正方法】削除
【補正の内容】
【手続補正４０】
【補正対象書類名】明細書
【補正対象項目名】０１３８
【補正方法】削除
【補正の内容】
【手続補正４１】
【補正対象書類名】明細書
【補正対象項目名】０１３９
【補正方法】削除
【補正の内容】
【手続補正４２】
【補正対象書類名】明細書
【補正対象項目名】０１４０
【補正方法】削除
【補正の内容】
【手続補正４３】
【補正対象書類名】明細書
【補正対象項目名】０１４１
【補正方法】削除
【補正の内容】
【手続補正４４】
【補正対象書類名】明細書
【補正対象項目名】０１４２
【補正方法】削除
【補正の内容】
【手続補正４５】
【補正対象書類名】明細書
【補正対象項目名】０１４３
【補正方法】削除
【補正の内容】
【手続補正４６】
【補正対象書類名】明細書
【補正対象項目名】０１４４
【補正方法】削除
【補正の内容】
【手続補正４７】
【補正対象書類名】明細書
【補正対象項目名】０１４５
【補正方法】削除
【補正の内容】
【手続補正４８】
【補正対象書類名】明細書
【補正対象項目名】０１４６
【補正方法】削除
【補正の内容】
【手続補正４９】
【補正対象書類名】明細書
【補正対象項目名】０１４７
【補正方法】削除
【補正の内容】
【手続補正５０】
【補正対象書類名】明細書
【補正対象項目名】０１４８
【補正方法】削除
【補正の内容】
【手続補正５１】
【補正対象書類名】明細書
【補正対象項目名】０１４９
【補正方法】削除
【補正の内容】
【手続補正５２】
【補正対象書類名】明細書
【補正対象項目名】０１５０
【補正方法】削除
【補正の内容】
【手続補正５３】
【補正対象書類名】明細書
【補正対象項目名】０１５１
【補正方法】削除
【補正の内容】
【手続補正５４】
【補正対象書類名】明細書
【補正対象項目名】０１５２
【補正方法】削除
【補正の内容】
【手続補正５５】
【補正対象書類名】明細書
【補正対象項目名】０１５３
【補正方法】削除
【補正の内容】